(57)【要約】【課題】  不用意に扉が開いてしまうことがない、安全性を高めた反転ラッチ機構を提供する。【解決手段】  ラッチブロック２のデッドボルト１３に対向する面に係合凹部１４を形成し、この係合凹部１４と重合する案内枠８の外面に挿通孔２０を開口させてこの挿通孔に係止体１９を嵌合させ、一方、この係止体１９に傾斜溝を形成し、施錠時、この傾斜溝にデッドボルトに一体的に結合された駆動ピン１７を係合させ、傾斜溝と駆動ピン１７との間に生じる楔作用により係止体１９を係合凹部１４に係合させる。【選択図】  図１
2006089986.tif 000002
【特許請求の範囲】
【請求項１】
水平面に対する大体の投影形状が４隅を丸めた菱形の柱状体であるラッチブロックと、一面が開口した箱状体で、錠箱のフロント板の開口の裏面側にその開口を接合させた状態で錠箱内に収納され、その開口の上下方向の寸法をラッチブロックの高さよりやや大きく、幅方向の寸法を、相互に対向するラッチブロックの一対の平面の間隔よりやや大きく設定し、上記ラッチブロックを摺動かつ反転可能に収納した案内枠と、案内枠内に弾装され、ラッチブロックをロック方向に付勢するばねとを有するものにおいて、ラッチブロックのデッドボルトに対向する面に係合凹部を形成し、この係合凹部と重合する案内枠の外面に挿通孔を開口させてこの挿通孔に係止体を嵌合させ、一方、この係止体に傾斜溝を形成し、施錠時、この傾斜溝にデッドボルトに一体的に結合された駆動ピンを係合させ、傾斜溝と駆動ピンとの間に生じる楔作用により係止体を係合凹部に係合させるようにしたことを特徴とする反転ラッチ機構。
【発明の詳細な説明】
【技術分野】
【０００１】
この発明は、反転ラッチ機構に係り、特に、不用意に扉が開いてしまうことがなく、以て安全性を高めた反転ラッチ機構に関する。
【背景技術】
【０００２】
反転ラッチ機構は、例えば後記特許文献１に記載されているように、水平面に対する投影形状が４隅を丸めた菱形の柱状体で、上下面の少なくとも一方に抜け止めの薄い突部を形成したラッチブロックと、一面が開口した箱状体で、錠箱のフロント板の開口の裏面側にその開口を接合させた状態で錠箱内に収納され、その開口の上下方向の寸法をラッチブロックの高さよりやや大きく、幅方向の寸法を、相互に対向するラッチブロックの一対の平面の間隔よりやや大きく設定し、上記ラッチブロックを摺動かつ反転可能に収納した案内枠と、案内枠内に弾装され、ラッチブロックをフロント板から突出する方向の前方に付勢すると共に、ラッチブロックのストライクとの衝接面が案内枠の側壁内面に接合する常態角度位置方向に復元力を呈するばねと、ラッチブロックの上下面の少なくとも一方の後端に突設された係合片と、錠箱内において、扉の外部操作部材により連係部材を介して前後に変位できるように配設された摺動部材と、この前記摺動部材を前方に向け付勢する戻しばねと、摺動部材に一体的に形成され、ラッチブロックが常態角度位置にあり、前方に突出しているとき、その係合片を拘束する停止片とを有することを特徴とするものである。
【０００３】
また、上記特許文献２に記載されている反転ラッチ機構のように、ラッチブロックが前方に突出する方向に付勢されているのみで、ラッチブロックのストライクとの衝接面が案内枠の側壁内面に接合する常態角度位置方向に付勢されていないものもある。
【０００４】
これらの反転ラッチは、ラッチヘッドの斜面とストライク板との係合によって生じる楔作用によって錠箱内に引込む通常のラッチボルトと異なり、トリガー装置によって自由になった反転ラッチが平面内で回転してストライク板の係止部から外れるので、小さい力で扉の係止を解くことができる。
【０００５】
一方、近年になり、上記反転ラッチ装置を扉のハンドル装置と組合わせ、ハンドルを押し引きすることにより小さい力で扉を開け閉めできる扉の係止装置（以下プッシュプル錠という）が実用され始めた。
【０００６】
このプッシュプル錠は、例えば後記特許文献３乃至５に記載されているように、扉の自由側端縁部に、台座を介して、縦長のバー状のハンドルを扉の厚さ方向に移動可能に案内したもので、例えば室内側からハンドルを扉に近接する方向に押動することにより、或いは、室外側からハンドルを引くことにより、ハンドルを扉厚方向に動かし、このハンドルの動きを利用して錠箱内のラッチ装置を解除するように作動するものである。
【特許文献１】特開平０８−１００５５９号公報
【特許文献２】特開平０１−２１０５８３号公報
【特許文献３】特開平０９−３０３００２号公報
【特許文献４】特開平１１−１３１８７０号公報
【特許文献５】特開平１１−２００６７１号公報
【発明の開示】
【発明が解決しようとする課題】
【０００７】
上記反転ラッチ装置は、その作動原理が通常のラッチボルトと異なり、水平面に対する投影形状が４隅を丸めた菱形の柱状体であるラッチブロックが回転することにより扉と扉枠との係合を解くようになっており、ラッチブロックが回動してから所定の行程を経て元の係止状態に戻るように構成されている。
【０００８】
そのため、例えば外出時、使用者が鍵で施錠後施錠確認のためプッシュプル錠を操作して扉を開ける方向に操作すると、扉はデッドボルトで錠止されているから開かないが、ラッチブロックがロック状態から回動してアンロックされ、自由状態になってしまう。
【０００９】
この場合、帰宅後使用者が鍵で解錠した途端、換言すればデッドボルトが錠箱内に引込んだ途端、ラッチボルトが係止すべき扉が全く自由になるので、例えば風により扉が開扉方向に煽られている場合には、急激に扉が開いてしまう危険性があった。
【００１０】
そこで、この発明は、施錠の確認のためプッシュプル錠を操作しても、帰宅後鍵で解錠しても扉が急激に開いてしまうことがない反転ラッチ装置を提供し、以て反転ラッチ機構の安全性を向上させることを目的としている。
【課題を解決するための手段】
【００１１】
上記の目的を達成するため、請求項１に記載の発明は、水平面に対する大体の投影形状が４隅を丸めた菱形の柱状体であるラッチブロックと、一面が開口した箱状体で、錠箱のフロント板の開口の裏面側にその開口を接合させた状態で錠箱内に収納され、その開口の上下方向の寸法をラッチブロックの高さよりやや大きく、幅方向の寸法を、相互に対向するラッチブロックの一対の平面の間隔よりやや大きく設定し、上記ラッチブロックを摺動かつ反転可能に収納した案内枠と、案内枠内に弾装され、ラッチブロックをロック方向に付勢するばねとを有するものにおいて、ラッチブロックのデッドボルトに対向する面に係合凹部を形成し、この係合凹部と重合する案内枠の外面に挿通孔を開口させてこの挿通孔に係止体を嵌合させ、一方、この係止体に傾斜溝を形成し、施錠時、この傾斜溝にデッドボルトに一体的に結合された駆動ピンを係合させ、傾斜溝と駆動ピンとの間に生じる楔作用により係止体を係合凹部に係合させるようにしたことを特徴とする。
【発明の効果】
【００１２】
上記のように構成された請求項１に記載の発明による反転ラッチ機構は、施錠時係止体が係合凹部と係合し、ラッチブロックの回動が阻止されるので、施錠時プッシュプル錠のハンドルを操作してもラッチブロックが反転せず、ラッチブロックによる扉の係止状態が解かれることがない。
【００１３】
したがって、鍵による施錠状態を確かめるべくプッシュプル錠のハンドルを操作してもラッチブロックの係止状態は変化しないので、解錠時扉が急に開く危険性を有効に防止できる、という効果を奏する。
【発明を実施するための最良の形態】
【００１４】
デッドボルトの施錠方向の移動と連動させて、係止体と駆動ピンとの係合により係止体をラッチブロックの係合凹部に係入させ、これを固定するようにしたので、簡単な機構でプッシュプル錠の構造上の特性による危険性を防止できた。
【実施例１】
【００１５】
以下、この発明の実施例を図面を参照して説明する。
図１及び図２において符号１は公知の反転ラッチ機構の全体を示し、かかる反転ラッチ機構の構造及び作用は例えば上記特許文献１などに詳細に記載されている上、多年にわたって実用されているので以下においては簡単に説明する。
【００１６】
通常、反転ラッチ機構１は、水平面に対する大体の投影形状が４隅を丸めた菱形（図２参照）の柱状体であるラッチブロック２を有している。図示の実施例では、菱形の内端部を切断した形状である。
【００１７】
上記ラッチブロック２は、錠止時ストライク３（図２参照）と係合する衝接面４を有しており、例えば圧縮コイルばねとしてのばね５の弾力により、錠箱のフロント板６から外方に突出する方向である前方に付勢されると共に、ばね収納洞７の底面に面接合する上記ばね５の作用により、図２で時計方向に付勢されている。
【００１８】
上記のようにして、ラッチブロック２は一面が開口した案内枠８内で前後方向に移動できると共に、回動可能に案内されている。
【００１９】
そして、反転ラッチ機構１がロック状態にあるときには、図１に示すように、案内枠８の下面に開口する付番しないスリットを通ってロックレバー９の先端がラッチブロックの下面に前後方向に延在するように形成された係止溝１１と係合している。
【００２０】
したがって、ラッチブロック２はその回動を阻止されるから、図２の矢印Ａ方向に扉が開こうとするとき、ラッチブロックの衝接面４がストライク３から受ける反力は上記ロックレバーに担持される。
【００２１】
一方、ロックレバー９は、前記特許文献３乃至５に記載された扉のハンドル装置によって駆動される作動片１２、１２（図１参照）によって反時計方向に駆動され、上記係止溝１１との係合を解いて反転ラッチ機構１がアンロックされる。
【００２２】
すると、図２から明らかなようにラッチブロック２がラッチボルトとしての機能を失うに致り、前記したように、帰宅時鍵によりデッドボルト１３（図１参照）を引っ込めると、扉が風で煽られる等の危険が生じることは前記した通りである。
【００２３】
なお、上記作動片１２の構造及び扉のハンドル装置との連動の態様については、この発明の要旨ではないので更に詳細な説明を省略する。
【００２４】
この発明は、上記した危険を防止するため、デッドボルト１３が外方に突出して施錠状態にあるときには、ラッチブロック２がアンロックされないようにしたものである。
【００２５】
そのため、図２に示すように、ラッチブロック２のデッドボルトに対向する面、すなわち図示の実施例では上面に略矩形の（図２参照）係合凹部１４が形成されている。
【００２６】
図示の実施例では、この係合凹部１４は略五角形の段部２ａ（図２参照）の一部を掘り下げる態様で形成されている。
【００２７】
ちなみに、通常ラッチブロック２は、段部２ａの前方の隅部２ｂに丸みを付け、この隅部２ｂとフロント板６の裏面との当接を利用してラッチブロックの回動の案内とする。
【００２８】
一方、上記係合凹部１４と重合する案内枠８の外面（図示の実施例では上面）には、図１に示すように、挿通孔２０が開口しており、この挿通孔２０に係止体１９が嵌合している。
【００２９】
上記挿通孔２０は、水平面に対する投影形状が矩形である（図示せず）ものとし、図１においてはその断面が細長いスリットとして表わされている。
【００３０】
一方、図示の実施例における係止体１９は、図３及び図４に示すように、水平面に対する投影形状が例えばコ字形のブロック体で、後述する理由により、その材質は例えば摩擦係数が小さい合成樹脂等が好適である。
【００３１】
また、係止体１９の一対の平行板部の一方、例えば図３で示す手前側には、図３に示すように、後方（右方）に向かって下降する、換言すれば、後方程デッドボルト１３から離間する傾斜溝１５が形成されている。
【００３２】
更にまた、係止体１９の幅、すなわち図４における左右方向の寸法は、上記挿通孔２０の図１の紙面方向の寸法とほぼ同じくし、前記係合凹部１４（図２参照）に対するように遊嵌するのではなく、挿通孔２０に嵌合してこれと摩擦係合させる（所謂止まり填め）のが望ましい。
【００３３】
但し、挿通孔２０と摩擦係合するのは係止体１９の下方のみでよく、全体にわたって摩擦係合させる必要はない。
【００３４】
他方、図５に示すように、デッドボルト１３（図１参照）のカバー１３ａに連設され、ラッチヘッド方向に延伸するアーム１６の先端には、図１において手前側に突出する駆動ピン１７が植設されている。
【００３５】
そして、図１に示すように、上記アーム１６の先端部を係止体１９の一対の平行板部の間に挿入するようにして、駆動ピン１７を係止体の傾斜溝１５に係合させている。
【００３６】
上記のように構成されたこの発明の一実施例による反転ラッチ機構は、図１から明らかなように、鍵によりシリンダ錠を施錠方向に回し、デッドボルト１３をフロント板６から突出させて施錠したときには、駆動ピン１７と傾斜溝１５との間に生じる楔作用により、係止体１９が下方に移動して、その下端が案内枠８の上面の挿通孔２０を通り、ラッチブロック上面の係合凹部１４に係入する。
【００３７】
その結果、係止体１９が案内枠８の上面の挿通孔２０及びラッチブロックの係合凹部１４の双方に跨って係合するので、ラッチブロック２は係止体１９を介して案内枠８に係止され、前記したように、ラッチブロック１９がロックされる。
【００３８】
一方、解錠のためデッドボルト１３を錠箱内に引っ込ませると、図１から明らかなように、駆動ピン１７が後方に移動し、駆動ピン１７と傾斜溝１５との間に生じる楔作用により係止体１９が係止凹部１４から離間する方向に移動し、その結果、反転ラッチ機構がアンロックされる。
【００３９】
或いは、駆動ピン１７が係止体１９と一体的に後方に移動し、係止体１９が挿通孔２０（図１参照）の後方の開口端縁と当接して停止し、以降、駆動ピン１７と傾斜溝１５との間に生じる楔作用により係止体１９が係止凹部１４から離間する方向に移動し、その結果、反転ラッチ機構がアンロックされる。
【００４０】
何れの場合でも、駆動ピン１７が傾斜溝１５から脱出する際傾斜溝の後方の開口を駆動ピン１７の移動軌跡上に置くから、施錠のためデッドボルト１３をフロント板６から突出させる際、駆動ピン１７と傾斜溝１５とは再び係合して図１に示す状態に復帰する。
【図面の簡単な説明】
【００４１】
【図１】この発明の一実施例による反転ラッチ機構を備えた錠箱の一部断面側面図。
【図２】反転ラッチ機構の線図的一部断面平面図。
【図３】係止体の側面図。
【図４】係止体の背面図で、図面を明瞭にするため板厚及び折幅を拡大して示す。
【図５】デッドボルトのカバーの背面図で、図面を明瞭にするため板厚を拡大して示す。
【符号の説明】
【００４２】
１  反転ラッチ機構。
２  ラッチブロック。
４  衝接面。
５  ばね
６  フロント板
７  ばね収納洞
８  案内枠
１３  デッドボルト
１４  係合凹部
１５  傾斜溝
１６  アーム
１７  駆動ピン
１９  係止体
２０  挿通孔
【図１】
2006089986.tif 000003
【図２】
2006089986.tif 000004
【図３】
2006089986.tif 000005
【図４】
2006089986.tif 000006
【図５】
2006089986.tif 000007